(57)【要約】  【課題】利用者の耳が塞がった状態にはならずに音声コンテンツを聴くことができ、他者に不快感や悪印象を与えることがないと共に他者の歌唱をもクリアに聴くことができ、また、外部では音声コンテンツを聞かせないようにできるカラオケリモコン装置の提供。  【解決手段】利用者に提供するための音声コンテンツを付帯したカラオケリモコン装置において、音声コンテンツを骨伝導手段（Ｂ）にて利用者に伝達する機能を有してなるカラオケリモコン装置（１）。【選択図】図２
2005181595.tif 000002
【特許請求の範囲】
【請求項１】
利用者が所望するカラオケ楽曲の予約登録機能を有すると共に、利用者に提供するための音声コンテンツを付帯したカラオケリモコン装置において、前記音声コンテンツを骨伝導手段にて利用者に伝達する機能を有してなるカラオケリモコン装置。
【請求項２】
前記骨伝導手段が利用者の頭部装着型である請求項１記載のカラオケリモコン装置。
【発明の詳細な説明】
【技術分野】
【０００１】
本発明は、利用者が所望するカラオケ楽曲の予約登録機能を有すると共に、利用者に提供するための音声コンテンツを付帯したカラオケリモコン装置に関する。
【背景技術】
【０００２】
従来、カラオケリモコン装置は、利用者が所望するカラオケ楽曲の予約楽曲コードを、所定のカラオケ演奏装置に転送して予約登録する機能を有するものであり、最近の機種ではタッチパネル式のディスプレイを利用者インタフェイスとして付帯し、所定の検索条件に適合するカラオケ楽曲を検索すると共に、検索結果として提示された目次情報を該ディスプレイに表示する、いわゆる「電子目次本付きカラオケリモコン」が普及しつつある。
【０００３】
図１は、このようなカラオケリモコン装置の概略的な外観図である。
カラオケリモコン装置（Ｒ１）本体の形状は、両手を軽く開いた状態で持てる程度の幅長を有した横長サイズのパネル状のもので、その本体前面には液晶ディスプレイ（以下、ＬＣＤと称す）（Ｒ２）が配設されており、さらに、このＬＣＤ（Ｒ２）の表面部にはタッチパネル式の操作パネル（Ｒ３）が積層されている。また、本装置上端面には、発光ダイオード（以下、ＬＥＤと称す）による赤外線転送部（Ｒ４）が設けられ、本装置下端面には、通称「クレードル」に装着して接続するための接続端子（Ｒ５）がある。なお、本装置側面部などには外部のコンピュータとデータ通信を行うためのＲＳ２３２Ｃ規格のインタフェイス用端子が配設されている場合もある。
【０００４】
このようなカラオケリモコン装置では、カラオケ演奏に供される多数の楽曲についての属性情報を記述したデータベースを備えており、例えば、楽曲番号・曲名・アーティスト名・歌い出し部分の歌詞・流行時期・音楽ジャンル区分・使用された映画やテレビドラマのタイトル・使用されたテレビＣＭ・各種音楽賞の受賞経歴・デュエット曲か否かなどの様々な属性情報がこれに含まれている。
【０００５】
ところで、最近では、楽曲のイントロ部演奏（以下、イントロと称す）や着信メロディ（以下、着メロと称す）あるいは模範ボーカル音声などの音声コンテンツを利用者に提供できるカラオケシステムに関連した技術が開示されている。例えば、特許文献１では、所望する楽曲のメロディや歌詞が頭に浮かんで来ないため、歌う自信が持てない時に、目次本を見ながらリモコンリモコン装置を操作する面倒な手間を省き、当該楽曲のイントロを聞いて楽曲の内容を確認した上で選曲できる技術が開示されている。また、特許文献２では、カラオケ演奏装置に装備された多彩な音楽ジャンルに亘るメロディの音楽データ群を利用して、多彩な着メロ（鳴動メロディ）を種々の携帯機器（ＰＨＳや携帯電話）の仕様に合わせて供給する技術が開示されている。さらに、特許文献３では、利用者が歌唱するにあたって予め模範ボーカル音声を聞けるようにし、特に、模範ボーカル音声をヘッドホンで試聴することにより、利用者本人だけが試聴でき、カラオケを楽しんでいる周りの人に迷惑を掛けずに済むという技術も開示されている。
【特許文献１】特開平１０−３０１５８３号公報
【特許文献２】特開平１１−２４２４９０号公報
【特許文献３】特開平１０−３１９９７７号公報
【発明の開示】
【発明が解決しようとする課題】
【０００６】
このような従来技術においては、音声コンテンツの提供は、通常、これを所望する利用者によるカラオケリモコン装置の操作によって得られ、カラオケ演奏装置の動作処理とは切り離されているため、カラオケ演奏処理などには邪魔にならない。また、容易に持ち運びができるというリモコン装置の特性から、利用者にとっての利便性は高い。しかしながら、音声コンテンツは一般に、付帯する音圧型スピーカから外部に発せられるため、カラオケ演奏中などの状況下では音が混じって聞き取り難く大変不都合である。
【０００７】
このような問題に対して、例えば、上記特許文献３におけるように、音声コンテンツを専用の頭部装着型（ヘッドホン型）の音圧型スピーカから発するようにして、これを利用者が使用することで、外部では音声コンテンツが聞こえないようにする手法も考えられるが、利用者の耳が塞がった状態では、他者が歌唱中では、他者の歌唱を聴いていないという不快感や悪印象を与えるため好ましくない。また、実際に、このような状態では他者の歌唱は聴き取り難くなってしまう。
【０００８】
本発明はこのような不都合や問題を解決するために想到されたもので、利用者の耳が塞がった状態にはならずに音声コンテンツを聴くことができ、他者に不快感や悪印象を与えることがないと共に、他者の歌唱をもクリアに聴くことができ、さらに、外部では音声コンテンツを聞かせないようにできるカラオケリモコン装置の提供を課題とする。
【課題を解決するための手段】
【０００９】
かかる課題を解決するため、発明者は、音声コンテンツを骨伝導手段にて利用者に伝達することによって、上記課題を解決できることを見出し、本発明のカラオケリモコン装置を想到した。
【００１０】
すなわち、本発明の請求項１記載のカラオケリモコン装置は、利用者が所望するカラオケ楽曲の予約登録機能を有すると共に、利用者に提供するための音声コンテンツを付帯したカラオケリモコン装置において、前記音声コンテンツを骨伝導手段にて利用者に伝達する機能を有してなることを特徴とする。
【００１１】
また、本発明の請求項２記載のカラオケリモコン装置は、上記請求項１記載のカラオケリモコン装置において、前記骨伝導手段が利用者の頭部装着型であることを特徴とする。
【発明の効果】
【００１２】
本発明の請求項１記載のカラオケリモコン装置によれば、イントロや着メロなどの音声コンテンツを利用者の耳の周辺部に骨伝導音として伝達するため、利用者の耳が塞がった状態にはならずに音声コンテンツを聴くことができ、他者に不快感や悪印象を与えることがないと共に、他者の歌唱をもクリアに聴くことができる。さらに、骨伝導手段は使用時には利用者の耳の周辺部に密着状態とされるため、外部では音声コンテンツを聞かせないようにできるなどといった効果を奏する。
【００１３】
次に、本発明の請求項２記載のカラオケリモコン装置によれば、骨伝導手段が利用者の頭部装着型であることから、利用者が音声コンテンツの聴き取り時に骨伝達手段を手に持つ必要がなく、両手が自由になるため、カラオケリモコン装置への操作性が向上するといった効果を奏する。
【発明を実施するための最良の形態】
【００１４】
以下、本発明のカラオケリモコン装置について最適な実施例を挙げ、本発明をさらに詳述する。
【実施例１】
【００１５】
本発明のカラオケリモコン装置の概略的ブロック構成図を図２に示す。本実施例のカラオケリモコン装置（１）の内部構成については、先ず、外部記憶として機能するフラッシュメモリ（３）には、利用可能なカラオケ楽曲についての曲名・アーティスト名・歌詞の歌い出し部分に加え、イントロや着メロといった音声コンテンツ（１０）などの属性情報が楽曲ＩＤに紐付けされて格納され、楽曲索引データベースにて管理される。利用者が入力した検索キーワードの属性情報に関するクエリーとしてデータベースを照会するが、例えば、所望の音声コンテンツを照会すると、検索条件に応じた結果がＬＣＤ（６）に表示され、その表示アイコン（図示せず）を選択して押圧すると、所定の音声コンテンツが骨伝達手段用インタフェイス（１１）を介して骨伝達手段（Ｂ）に出力される。なお、骨伝達手段（Ｂ）がカラオケリモコン装置本体に一体的（内蔵型）に構成されている場合は、骨伝達手段用インタフェイス（１１）は必ずしも必要としない。
【００１６】
次に、このカラオケリモコン装置（１）の主制御部である中央制御手段（２）は、無線回線ないし有線回線を介して通信を制御する通信制御手段（７）に接続されており、新規のカラオケ楽曲や音声コンテンツなどについての属性情報などを、クレードル（ＣＲ）を介してカラオケ演奏装置（Ｐ）からダウンロードするか、あるいは、無線ＬＡＮを介して直接的にカラオケ演奏装置（Ｐ）からダウンロードするなどして、新規の当該情報をフラッシュメモリ（３）に格納することで楽曲索引データベースが適時に更新される。なお、通称「クレードル」とは、通常、カラオケリモコン装置（１）の接続端子（９）を介して接続され、当該リモコン装置本体内部にある二次電池に電力供給をするための充電器とデータの同期処理器を兼用した装置である。
【００１７】
また、中央制御手段（２）は、操作制御手段（４）が制御している操作パネル（５）からの入力情報を受け取ると、内部のＲＯＭに用意されている画像データや、入力情報に応じた処理結果を反映させた画像データをビデオＲＡＭにビットマップ展開すると共に、ＬＣＤドライバ（図示せず）を制御して、このビットマップ画像をＬＣＤ（６）に表示出力させる。それにより、カラオケリモコン装置は利用者にＧＵＩ環境を提供し、中央制御手段（２）が利用者とＧＵＩによる対話を通じて楽曲索引データベースを検索し、その検索結果を電子目次本として出力表示させている。
【００１８】
さらに、中央制御手段（２）は、電子目次本から最終的に利用者が選択した１つの演奏楽曲を提示した状態で、その楽曲を演奏予約する旨の入力があれば、該当の楽曲番号を含んだ予約楽曲コードを生成し確定して、そのコードをＬＥＤドライバ（図示せず）に転送する。そして、このＬＥＤドライバは、このコードの変調信号をＬＥＤ（８）に与えて、カラオケ演奏装置（Ｐ）に演奏予約のための赤外線信号（ｉｒ）を送信させ、カラオケ演奏装置（Ｐ）は、この楽曲予約データを受信すると、そのデータに含まれている楽曲番号を演奏予約の待ち行列として管理し、その待ち行列からピックアップした楽曲番号に対応する楽曲を順次演奏するものである。
【００１９】
次に、本発明のカラオケリモコン装置における骨伝達手段の外観図である図３と、図４に示す骨伝導手段のカラオケリモコン装置への付帯例説明図に基づき、本発明をさらに詳述する。
【００２０】
骨伝達とは音声を骨伝達音として頭蓋骨や下顎骨を介して伝達するもので、通常は骨伝達スピーカが耳の周辺部に密着した状態で使用される。先ず、図３の（イ）は指嵌め込み型の骨伝達手段（Ｂ）の外観図であって、保持アーム（Ｂ１）と骨伝達スピーカ（Ｂ２）との間に指を２〜３本程度入れて骨伝達手段（Ｂ）全体を保持し、これを利用者の頭部のこめかみ部や下顎部に当てながら音声コンテンツを聴き取る。この音声コンテンツは有線通信回線（Ｂ３）にてカラオケ演奏装置本体から送られる。次に、図３の（ロ）は頭部装着型の骨伝達手段（Ｂ）の外観図であって、保持アーム（Ｂ１）と左右の骨伝達スピーカ（Ｂ２）のと間に、利用者の頭部のこめかみ部を挟み入れるように装着する。そして、図４に示すように、骨伝導手段（Ｂ）とカラオケリモコン装置（Ｒ）は、両者の操作性を考慮した適度な長さの有線通信回線（Ｂ３）にて接続されている。この構成であれば、利用者は音声コンテンツの聴き取り時に骨伝達手段を手に持つ必要がなく、両手が自由になるため、カラオケリモコン装置本体への操作性が向上する。
【００２１】
なお、上記実施例では、何れも音声コンテンツは有線通信回線にてカラオケリモコン装置本体から送られるものであるが、この有線通信回線は無線通信回線にて構成されても構わない。また、上記実施例では、何れも骨伝達手段はカラオケリモコン装置とは別体に構成されているが、骨伝達スピーカをカラオケリモコン装置本体に組み入れて、一体的（内蔵型）に構成しても構わない。
【００２２】
以上、詳述したように、本発明のカラオケリモコン装置によれば、音声コンテンツを骨伝導手段にて利用者に伝達することによって、利用者の耳が塞がった状態にはならずに音声コンテンツを聴くことができ、他者に不快感や悪印象を与えることがないと共に、他者の歌唱をもクリアに聴くことができる。さらに、骨伝導手段は使用時には利用者の耳の周辺部に密着状態とされるため、外部では音声コンテンツを聞かせないようにできるといった優れた機能を呈する。
【図面の簡単な説明】
【００２３】
【図１】カラオケリモコン装置の概略的な外観図。
【図２】本発明のカラオケリモコン装置の概略的ブロック構成図。
【図３】本発明のカラオケリモコン装置における骨伝達手段の外観図。
【図４】骨伝導手段のカラオケリモコン装置への付帯例説明図。
【符号の説明】
【００２４】
１    カラオケリモコン装置
２    中央制御手段
３    フラッシュメモリ
１０  音声コンテンツ
１１  骨伝達手段用インタフェイス
Ｂ    骨伝達手段
【図１】
2005181595.tif 000003
【図２】
2005181595.tif 000004
【図３】
2005181595.tif 000005
【図４】
2005181595.tif 000006